【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
アルミニウム、アルミニウム合金、またはアルミニウム化合物を含むアノードと、
カソードと、
前記アノードと前記カソードとの直接接触を防止する電気絶縁材料を含む多孔質セパレータと、
アルミニウム塩の溶液を含む電解質と
を含むバッテリであって、前記電解質が前記アノードおよび前記カソードと電気接触しており、前記電解質が、水酸化リチウム、水酸化ナトリウム、水酸化カリウム、水酸化アンモニウム、水酸化カルシウム、水酸化マグネシウム、およびこれらの混合物からなる群から選択されるアルカリ金属水酸化物をさらに含む、
バッテリ。
【請求項２】
前記電解質が、約１：１から約１：１０のモル比で硝酸アルミニウムおよび水酸化リチウムの水溶液を含む、請求項１に記載のバッテリ。
【請求項３】
アルミニウム、アルミニウム合金、またはアルミニウム化合物を含むアノードと、
カソードと、
前記アノードと前記カソードとの直接接触を防止する電気絶縁材料を含む多孔質セパレータと、
アルミニウム塩の溶液を含む電解質と
を含むバッテリであって、前記電解質が前記アノードおよび前記カソードと電気接触しており、前記電解質が、ポリテトラフルオロエチレン、アセトニトリルブタジエンスチレン、スチレンブタジエンゴム、酢酸ビニルエチル、ポリ（フッ化ビニリデン−ｃｏ−ヘキサフルオロプロピレン）、ポリメタクリル酸メチル、およびこれらの混合物からなる群から選択されるポリマーをさらに含む、
バッテリ。
【請求項４】
アルミニウム、アルミニウム合金、またはアルミニウム化合物を含むアノードと、
カソードと、
前記アノードと前記カソードとの直接接触を防止する電気絶縁材料を含む多孔質セパレータと、
アルミニウム塩の溶液を含む電解質と
を含むバッテリであって、前記電解質が前記アノードおよび前記カソードと電気接触しており、前記電解質が、塩化アルミニウム、臭化アルミニウム、ヨウ化アルミニウム、およびこれらの混合物からなる群から選択されるハロゲン化アルミニウムと、塩化１−エチルメチルイミダゾリウム、臭化１−エチルメチルイミダゾリウム、ヨウ化１−エチルメチルイミダゾリウム、およびこれらの混合物からなる群から選択されるハロゲン化１−エチルメチルイミダゾリウムとをさらに含む、
バッテリ。
【請求項５】
前記ハロゲン化アルミニウムおよび前記ハロゲン化１−エチルメチルイミダゾリウムが、１：１から５：１（重量：重量）の比で存在する、請求項４に記載のバッテリ。
【請求項６】
前記アルミニウム合金が、アルミニウムと、マンガン、マグネシウム、リチウム、ジルコニア、鉄、コバルト、タングステン、バナジウム、ニッケル、銅、ケイ素、クロム、チタン、スズ、および亜鉛からなる群から選択される少なくとも１つの元素とを含む、請求項１に記載のバッテリ。
【請求項７】
前記アノードが、前記電解質と接触している前記アノードの表面の親水性を増大させるのに有効な処理を受けたアルミニウムである、請求項１に記載のバッテリ。
【請求項８】
前記アルミニウム化合物が、アルミニウム遷移金属酸化物（ＡｌｘＭｙＯｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウム遷移金属硫化物（ＡｌｘＭｙＳｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウムリチウムコバルト酸化物（ＡｌＬｉ３ＣｏＯ２）；水素化アルミニウムリチウム（ＬｉＡｌＨ４）；水素化アルミニウムナトリウム（ＮａＡｌＨ４）；フッ化アルミニウムカリウム（ＫＡｌＦ４）；およびこれらの混合物からなる群から選択される、請求項１に記載のバッテリ。
【請求項９】
前記アルミニウム塩が、硝酸アルミニウム、硫酸アルミニウム、リン酸アルミニウム、臭化アルミニウム六水和物、フッ化アルミニウム、フッ化アルミニウム三水和物、ヨウ化アルミニウム六水和物、過塩素酸アルミニウム、水酸化アルミニウム、およびこれらの組合せからなる群から選択される、請求項１に記載のバッテリ。
【請求項１０】
前記電解質が、水、エタノール、Ｎ−メチルピロリドン、ジメチルスルホキシド、およびこれらの混合物からなる群から選択される溶媒を含む、請求項１に記載のバッテリ。
【請求項１１】
前記カソードが、リチウムマンガン酸化物、酸処理されたリチウムマンガン酸化物、リチウム金属マンガン酸化物（ここで、前記金属は、ニッケル、コバルト、アルミニウム、クロム、およびこれらの組合せからなる群から選択される）、酸処理されたリチウム金属マンガン酸化物、黒鉛金属複合体（ここで、前記金属は、ニッケル、鉄、銅、コバルト、クロム、アルミニウム、およびこれらの混合物からなる群から選択される電導性金属である）、黒鉛−黒鉛酸化物、二酸化マンガン、およびグラフェンからなる群から選択される材料を含む、請求項１に記載のバッテリ。
【請求項１２】
リチウムを含む前記カソードが、酸処理に供される、請求項１１に記載のバッテリ。
【請求項１３】
前記多孔質セパレータが、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む、請求項１に記載のバッテリ。
【請求項１４】
前記アルミニウム合金が、アルミニウムと、マンガン、マグネシウム、リチウム、ジルコニア、鉄、コバルト、タングステン、バナジウム、ニッケル、銅、ケイ素、クロム、チタン、スズ、および亜鉛からなる群から選択される少なくとも１種の元素とを含む、請求項３に記載のバッテリ。
【請求項１５】
前記アノードが、前記電解質と接触している前記アノードの表面の親水性を増大させるのに有効な処理を受けたアルミニウムである、請求項３に記載のバッテリ。
【請求項１６】
前記アルミニウム化合物が、アルミニウム遷移金属酸化物（ＡｌｘＭｙＯｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウム遷移金属硫化物（ＡｌｘＭｙＳｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウムリチウムコバルト酸化物（ＡｌＬｉ３ＣｏＯ２）；水素化アルミニウムリチウム（ＬｉＡｌＨ４）；水素化アルミニウムナトリウム（ＮａＡｌＨ４）；フッ化アルミニウムカリウム（ＫＡｌＦ４）；およびこれらの混合物からなる群から選択される、請求項３に記載のバッテリ。
【請求項１７】
前記アルミニウム塩が、硝酸アルミニウム、硫酸アルミニウム、リン酸アルミニウム、臭化アルミニウム六水和物、フッ化アルミニウム、フッ化アルミニウム三水和物、ヨウ化アルミニウム六水和物、過塩素酸アルミニウム、水酸化アルミニウム、およびこれらの組合せからなる群から選択される、請求項３に記載のバッテリ。
【請求項１８】
前記電解質が、水、エタノール、Ｎ−メチルピロリドン、ジメチルスルホキシド、およびこれらの混合物からなる群から選択される溶媒を含む、請求項３に記載のバッテリ。
【請求項１９】
前記カソードが、リチウムマンガン酸化物、酸処理されたリチウムマンガン酸化物、リチウム金属マンガン酸化物（ここで、前記金属は、ニッケル、コバルト、アルミニウム、クロム、およびこれらの組合せからなる群から選択される）、酸処理されたリチウム金属マンガン酸化物、黒鉛金属複合体（ここで、前記金属は、ニッケル、鉄、銅、コバルト、クロム、アルミニウム、およびこれらの混合物からなる群から選択される電導性金属である）、黒鉛−黒鉛酸化物、二酸化マンガン、およびグラフェンからなる群から選択される材料を含む、請求項３に記載のバッテリ。
【請求項２０】
リチウムを含む前記カソードが、酸処理に供される、請求項１９に記載のバッテリ。
【請求項２１】
前記多孔質セパレータが、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む、請求項３に記載のバッテリ。
【請求項２２】
前記アルミニウム合金が、アルミニウムと、マンガン、マグネシウム、リチウム、ジルコニア、鉄、コバルト、タングステン、バナジウム、ニッケル、銅、ケイ素、クロム、チタン、スズ、および亜鉛からなる群から選択される少なくとも１種の元素とを含む、請求項４に記載のバッテリ。
【請求項２３】
前記アノードが、前記電解質と接触している前記アノードの表面の親水性を増大させるのに有効な処理を受けたアルミニウムである、請求項４に記載のバッテリ。
【請求項２４】
前記アルミニウム化合物が、アルミニウム遷移金属酸化物（ＡｌｘＭｙＯｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウム遷移金属硫化物（ＡｌｘＭｙＳｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウムリチウムコバルト酸化物（ＡｌＬｉ３ＣｏＯ２）；水素化アルミニウムリチウム（ＬｉＡｌＨ４）；水素化アルミニウムナトリウム（ＮａＡｌＨ４）；フッ化アルミニウムカリウム（ＫＡｌＦ４）；およびこれらの混合物からなる群から選択される、請求項４に記載のバッテリ。
【請求項２５】
前記アルミニウム塩が、硝酸アルミニウム、硫酸アルミニウム、リン酸アルミニウム、臭化アルミニウム六水和物、フッ化アルミニウム、フッ化アルミニウム三水和物、ヨウ化アルミニウム六水和物、過塩素酸アルミニウム、水酸化アルミニウム、およびこれらの組合せからなる群から選択される、請求項４に記載のバッテリ。
【請求項２６】
前記電解質が、水、エタノール、Ｎ−メチルピロリドン、ジメチルスルホキシド、およびこれらの混合物からなる群から選択される溶媒を含む、請求項４に記載のバッテリ。
【請求項２７】
前記カソードが、リチウムマンガン酸化物、酸処理されたリチウムマンガン酸化物、リチウム金属マンガン酸化物（ここで、前記金属は、ニッケル、コバルト、アルミニウム、クロム、およびこれらの組合せからなる群から選択される）、酸処理されたリチウム金属マンガン酸化物、黒鉛金属複合体（ここで、前記金属は、ニッケル、鉄、銅、コバルト、クロム、アルミニウム、およびこれらの混合物からなる群から選択される電導性金属である）、黒鉛−黒鉛酸化物、二酸化マンガン、およびグラフェンからなる群から選択される材料を含む、請求項４に記載のバッテリ。
【請求項２８】
リチウムを含む前記カソードが、酸処理に供される、請求項２７に記載のバッテリ。
【請求項２９】
前記多孔質セパレータが、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む、請求項４に記載のバッテリ。
【手続補正２】
【補正対象書類名】明細書
【補正対象項目名】０１４８
【補正方法】変更
【補正の内容】
【０１４８】
本開示について例示的な実施形態を参照しながら記述してきたが、当業者なら、本開示の範囲から逸脱することなく、様々な変更を行ってもよくかつその要素の代わりに均等物を用いてもよいことが理解されよう。さらに、本開示の本質的な範囲から逸脱することなく、特定の状況または材料を本開示の教示に適応させるように多くの修正を行ってもよい。したがって本開示は、本開示を実施するのに企図される最良の形態として開示された特定の実施形態に限定されないものとし、本開示は、添付される特許請求の範囲内に包含される全ての実施形態を含むことになる。
特定の実施形態では、例えば以下の項目が提供される。
（項目１）
アルミニウム、アルミニウム合金、またはアルミニウム化合物を含むアノードと、
カソードと、
前記アノードと前記カソードとの直接接触を防止する電気絶縁材料を含む多孔質セパレータと、
アルミニウム塩の溶液を含む電解質と
を含み、電解質が前記アノードおよび前記カソードと電気接触している
バッテリ。
（項目２）
前記アルミニウム合金が、アルミニウムと、マンガン、マグネシウム、リチウム、ジルコニア、鉄、コバルト、タングステン、バナジウム、ニッケル、銅、ケイ素、クロム、チタン、スズ、および亜鉛からなる群から選択される少なくとも１種の元素とを含む、項目１に記載のバッテリ。
（項目３）
前記アノードが、前記電解質と接触している前記アノードの表面の親水性を増大させるのに有効な処理を受けたアルミニウムである、項目１に記載のバッテリ。
（項目４）
前記処理が、前記アルミニウムの表面を、水酸化リチウム、水酸化ナトリウム、水酸化カリウム、およびこれらの混合物からなる群から選択されるアルカリ金属水酸化物の水溶液と接触させることを含む、項目３に記載のバッテリ。
（項目５）
前記アルミニウム化合物が、アルミニウム遷移金属酸化物（ＡｌｘＭｙＯｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウム遷移金属硫化物（ＡｌｘＭｙＳｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）；アルミニウムリチウムコバルト酸化物（ＡｌＬｉ３ＣｏＯ２）；水素化アルミニウムリチウム（ＬｉＡｌＨ４）；水素化アルミニウムナトリウム（ＮａＡｌＨ４）；フッ化アルミニウムカリウム（ＫＡｌＦ４）；およびこれらの混合物からなる群から選択される、項目１に記載のバッテリ。
（項目６）
前記アルミニウム塩が、硝酸アルミニウム、硫酸アルミニウム、リン酸アルミニウム、臭化アルミニウム六水和物、フッ化アルミニウム、フッ化アルミニウム三水和物、ヨウ化アルミニウム六水和物、過塩素酸アルミニウム、水酸化アルミニウム、およびこれらの組合せからなる群から選択される、項目１に記載のバッテリ。
（項目７）
前記電解質が、前記アルミニウム塩の水溶液である、項目６に記載のバッテリ。
（項目８）
前記電解質が、硝酸アルミニウムの水溶液である、項目６に記載のバッテリ。
（項目９）
前記電解質が、硝酸アルミニウムの０．０５〜５Ｍ水溶液である、項目６に記載のバッテリ。
（項目１０）
前記電解質が、水酸化リチウム、水酸化ナトリウム、水酸化カリウム、水酸化アンモニウム、水酸化カルシウム、水酸化マグネシウム、およびこれらの混合物からなる群から選択されるアルカリ金属水酸化物をさらに含む、項目１に記載のバッテリ。
（項目１１）
前記電解質が、約１：１から約１：１０のモル比で硝酸アルミニウムおよび水酸化リチウムの水溶液を含む、項目１０に記載のバッテリ。
（項目１２）
前記電解質が、ポリテトラフルオロエチレン、アセトニトリルブタジエンスチレン、スチレンブタジエンゴム、酢酸ビニルエチル、ポリ（フッ化ビニリデン−ｃｏ−ヘキサフルオロプロピレン）、ポリメタクリル酸メチル、およびこれらの混合物からなる群から選択されるポリマーをさらに含む、項目１に記載のバッテリ。
（項目１３）
前記電解質が、塩化アルミニウム、臭化アルミニウム、ヨウ化アルミニウム、およびこれらの混合物からなる群から選択されるハロゲン化アルミニウムと、塩化１−エチルメチルイミダゾリウム、臭化１−エチルメチルイミダゾリウム、ヨウ化１−エチルメチルイミダゾリウム、およびこれらの混合物からなる群から選択されるハロゲン化１−エチルメチルイミダゾリウムとをさらに含む、項目１に記載のバッテリ。
（項目１４）
前記ハロゲン化アルミニウムおよび前記ハロゲン化１−エチルメチルイミダゾリウムが、１：１から５：１（重量：重量）の比で存在する、項目１３に記載のバッテリ。
（項目１５）
前記電解質が、水、エタノール、Ｎ−メチルピロリドン、ジメチルスルホキシド、およびこれらの混合物からなる群から選択される溶媒を含む、項目１に記載のバッテリ。
（項目１６）
前記カソードが、リチウムマンガン酸化物、酸処理されたリチウムマンガン酸化物、リチウム金属マンガン酸化物（ここで、前記金属は、ニッケル、コバルト、アルミニウム、クロム、およびこれらの組合せからなる群から選択される）、酸処理されたリチウム金属マンガン酸化物、黒鉛金属複合体（ここで、前記金属は、ニッケル、鉄、銅、コバルト、クロム、アルミニウム、およびこれらの混合物からなる群から選択される電導性金属である）、黒鉛−黒鉛酸化物、二酸化マンガン、およびグラフェンからなる群から選択される材料を含む、項目１に記載のバッテリ。
（項目１７）
リチウムを含む前記カソードが、酸処理に供される、項目１６に記載のバッテリ。
（項目１８）
前記多孔質セパレータが、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む、項目１に記載のバッテリ。
（項目１９）
前記アノードがアルミニウム金属を含み、前記カソードが黒鉛−黒鉛酸化物を含み、前記電解質が硝酸アルミニウムを含む水溶液である、項目１に記載のバッテリ。
（項目２０）
前記アノードがアルミニウム金属を含み、前記カソードが酸処理されたリチウムマンガン酸化物を含み、前記電解質が硝酸アルミニウムを含む水溶液である、項目１に記載のバッテリ。
（項目２１）
前記アノードがアルミニウム金属を含み、前記カソードがリチウムマンガン酸化物を含み、前記アルミニウム塩が硝酸アルミニウムを含み、前記多孔質セパレータが、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む、項目１に記載のバッテリ。
（項目２２）
前記多孔質セパレータの平均孔径が、約０．０６７μｍから約１．２μｍである、項目１に記載のバッテリ。
（項目２３）
アルミニウム、
アルミニウムと、マンガン、マグネシウム、リチウム、ジルコニア、鉄、コバルト、タングステン、バナジウム、ニッケル、銅、ケイ素、クロム、チタン、スズ、および亜鉛からなる群から選択される少なくとも１種の元素とを含むアルミニウム合金、
アルミニウム遷移金属酸化物（ＡｌｘＭｙＯｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）、
アルミニウム遷移金属硫化物（ＡｌｘＭｙＳｚ、式中、Ｍは、鉄、バナジウム、チタン、モリブデン、銅、ニッケル、亜鉛、タングステン、マンガン、クロム、コバルト、およびこれらの混合物からなる群から選択される遷移金属であり、ｘ、ｙ、およびｚは端数を含む０から８の範囲である）、
アルミニウムリチウムコバルト酸化物（ＡｌＬｉ３ＣｏＯ２）、
水素化アルミニウムリチウム（ＬｉＡｌＨ４）、
水素化アルミニウムナトリウム（ＮａＡｌＨ４）、
フッ化アルミニウムカリウム（ＫＡｌＦ４）、またはこれらの混合物からなる群から選択されるアルミニウム化合物
を含むアノードと、
リチウムマンガン酸化物、酸処理されたリチウムマンガン酸化物、リチウム金属マンガン酸化物（ここで、前記金属は、ニッケル、コバルト、アルミニウム、クロム、およびこれらの組合せからなる群から選択される）、酸処理されたリチウム金属マンガン酸化物、黒鉛金属複合体（ここで、前記金属は、ニッケル、鉄、銅、コバルト、クロム、アルミニウム、およびこれらの混合物からなる群から選択される電導性金属である）、黒鉛−黒鉛酸化物、二酸化マンガン、およびグラフェンからなる群から選択される材料
を含むカソードと、
硝酸アルミニウム、硫酸アルミニウム、リン酸アルミニウム、臭化アルミニウム六水和物、フッ化アルミニウム、フッ化アルミニウム三水和物、ヨウ化アルミニウム六水和物、過塩素酸アルミニウム、水酸化アルミニウム、およびこれらの組合せからなる群から選択されるアルミニウム塩の水溶液を含む電解質と
を含む、項目１に記載のバッテリ。
（項目２４）
前記アノードと前記カソードとの直接接触を防止する電気絶縁材料を含む多孔質セパレータであって、ポリエチレン、ポリテトラフルオロエチレン、ポリ塩化ビニル、セラミック、ポリエステル、ゴム、ポリオレフィン、ガラスマット、ポリプロピレン、混合セルロースエステル、ナイロン、ガラスマイクロファイバー、ならびにこれらの混合物および組合せからなる群から選択される材料を含む多孔質セパレータをさらに含む、項目２３に記載のバッテリ。
（項目２５）
前記バッテリが制御器に作動可能に接続され、前記制御器が、電力源におよび負荷に作動可能に接続されるよう適合されている、項目１から２４のいずれか一項に記載のバッテリを含むシステム。
（項目２６）
前記制御器が、前記電力源により前記バッテリの充電を制御するのに有効である、項目２５に記載のシステム。
（項目２７）
前記制御器が、前記負荷により前記バッテリの放電を制御するのに有効である、項目２５に記載のシステム。
（項目２８）
前記制御器が、高および低電流密度の定電流ステップの組合せである放電パターンを提供するよう適合されている、項目２５に記載のシステム。
（項目２９）
前記電力源がソーラーパネルまたは風力発電機である、項目２５に記載のシステム。
（項目３０）
前記負荷が、局所電気負荷または配電網である、項目２５に記載のシステム。